【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
第１および第２の無線アクセス技術、ＲＡＴ、ネットワークを介して通信するように構成されたユーザ機器、ＵＥ、におけるワイヤレス通信のための方法であって、
前記第１のＲＡＴネットワークの基地局との動作を中断することと、
前記ＵＥをターゲッティングするページングメッセージを監視するために前記第２のＲＡＴネットワークに同調することとを備え、
動作を中断してから経過した時間が第１のしきい値よりも大きい場合、システム取得を実行することによって前記第１のＲＡＴネットワークの前記基地局との動作を再開することと、
動作を中断してから経過した時間が第１のしきい値を下回る場合、システム取得を実行することなしに前記第１のＲＡＴネットワークの前記基地局との動作を再開することと、
システム取得を実行することなしに動作が再開されるとき１つまたは複数の機能の実行の速度を上げるために１つまたは複数のアクションをとることと
によって特徴づけられる、方法。
【請求項２】
１つまたは複数のアクションをとることが、
動作を中断してから経過した前記時間中に最初にスケジュールされたシステム情報を搬送する送信のし損なった復号を検出することと、
前記検出に応答して最初にスケジュールされたよりも前のシステム情報を搬送する送信を復号することと
を備える、請求項１に記載の方法。
【請求項３】
１つまたは複数のアクションをとることが、
動作を再開するとき、動作を中断してから経過した前記時間が第２のしきい値よりも大きい場合、測定報告のためのイベントトリガリングの速度を上げること
を備える、請求項１に記載の方法。
【請求項４】
前記第１のＲＡＴがロングタームエボリューション、ＬＴＥ、を備える、請求項１に記載の方法。
【請求項５】
前記第２のＲＡＴが、符号分割多元接続、ＣＤＭＡ、１ｘＲＡＴと、Ｇｌｏｂａｌ  Ｓｙｓｔｅｍ  ｆｏｒ  Ｍｏｂｉｌｅ、ＧＳＭ、ＲＡＴと、ユニバーサルモバイルテレコミュニケーションシステム、ＵＭＴＳ、ＲＡＴとのうちの少なくとも１つを備える、請求項１に記載の方法。
【請求項６】
第１および第２の無線アクセス技術、ＲＡＴ、ネットワークを介して通信するように構成されたユーザ機器、ＵＥ、におけるワイヤレス通信のための装置であって、請求項１−５に記載の方法のうちの任意の１つを実行するための手段を備える、装置。
【請求項７】
第１および第２の無線アクセス技術、ＲＡＴ、ネットワークを介して通信するように構成されたユーザ機器、ＵＥ、におけるワイヤレス通信のための装置であって、前記装置が、
前記第１のＲＡＴネットワークの基地局との動作を中断することと、前記ＵＥをターゲッティングするページングメッセージを監視するために前記第２のＲＡＴネットワークに同調することと、動作を中断してから経過した時間が第１のしきい値よりも大きい場合、システム取得を実行することによって前記第１のＲＡＴネットワークの前記基地局との動作を再開することと、動作を中断してから経過した時間が第１のしきい値を下回る場合、システム取得を実行することなしに前記第１のＲＡＴネットワークの前記基地局との動作を再開することと、システム取得を実行することなしに動作が再開されるとき１つまたは複数の機能の実行の速度を上げるために１つまたは複数のアクションをとることとを行うように構成された少なくとも１つのプロセッサと、
前記少なくとも１つのプロセッサに結合されたメモリと
を備える、装置。
【請求項８】
前記プロセッサが、
動作を中断してから経過した前記時間中に最初にスケジュールされたシステム情報を搬送する送信のし損なった復号を検出することと、
前記検出に応答して最初にスケジュールされたよりも前のシステム情報を搬送する送信を復号することと
を行うように構成された、請求項７に記載の装置。
【請求項９】
前記プロセッサが、
動作を再開するとき、動作を中断してから経過した前記時間が第２のしきい値よりも大きい場合、測定報告のためのイベントトリガリングの速度を上げること
を行うように構成された、請求項７に記載の装置。
【請求項１０】
前記第１のＲＡＴがロングタームエボリューション、ＬＴＥ、を備える、請求項７に記載の装置。
【請求項１１】
前記第２のＲＡＴが、符号分割多元接続、ＣＤＭＡ、１ｘＲＡＴと、Ｇｌｏｂａｌ  Ｓｙｓｔｅｍ  ｆｏｒ  Ｍｏｂｉｌｅ、ＧＳＭ、ＲＡＴと、ユニバーサルモバイルテレコミュニケーションシステム、ＵＭＴＳ、ＲＡＴとのうちの少なくとも１つを備える、請求項７に記載の装置。
【請求項１２】
第１および第２の無線アクセス技術、ＲＡＴ、ネットワークを介して通信することが可能なユーザ機器、ＵＥ、におけるワイヤレス通信のためのコンピュータプログラム製品であって、請求項１−５に記載の方法のうちの任意の１つを実行するために１つまたは複数のプロセッサによって実行可能な命令を記憶したコンピュータ可読媒体を備える、コンピュータプログラム製品。
【手続補正２】
【補正対象書類名】明細書
【補正対象項目名】００６８
【補正方法】変更
【補正の内容】
【００６８】
[0073]本開示についての以上の説明は、いかなる当業者も本開示を作製または使用することができるように与えられているものである。本開示への様々な修正は当業者には容易に明らかとなり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に、本願出願の当初の特許請求の範囲に記載された発明を付記する。
［Ｃ１］
第１および第２の無線アクセス技術（ＲＡＴ）ネットワークを介して通信することが可能なユーザ機器（ＵＥ）におけるワイヤレス通信のための方法であって、
前記第１のＲＡＴネットワークの基地局との動作を中断することと、
前記ＵＥをターゲッティングするページングメッセージを監視するために前記第２のＲＡＴネットワークに同調することと、
動作を中断してから経過した時間が第１のしきい値を下回る場合、システム取得を実行することなしに前記第１のＲＡＴネットワークの前記基地局との動作を再開することと、
システム取得を実行することなしに動作が再開されるとき１つまたは複数の機能の実行の速度を上げるために１つまたは複数のアクションをとることと
を備える、方法。
［Ｃ２］
１つまたは複数のアクションをとることが、
動作を中断してから経過した前記時間中に最初にスケジュールされたシステム情報を搬送する送信のし損なった復号を検出することと、
前記検出に応答して最初にスケジュールされたよりも前のシステム情報を搬送する送信を復号することと
を備える、Ｃ１に記載の方法。
［Ｃ３］
１つまたは複数のアクションをとることが、
動作を再開するとき、動作を中断してから経過した前記時間が第２のしきい値よりも大きい場合、測定報告のためのイベントトリガリングの速度を上げること
を備える、Ｃ１に記載の方法。
［Ｃ４］
動作を中断してから経過した前記時間が前記第１のしきい値よりも大きい場合、
前記第１のＲＡＴの基地局を用いてシステム取得を実行すること
をさらに備える、Ｃ１に記載の方法。
［Ｃ５］
前記第１のＲＡＴがロングタームエボリューション（ＬＴＥ）を備える、Ｃ１に記載の方法。
［Ｃ６］
前記第２のＲＡＴが、符号分割多元接続（ＣＤＭＡ）１ｘＲＡＴと、Ｇｌｏｂａｌ  Ｓｙｓｔｅｍ  ｆｏｒ  Ｍｏｂｉｌｅ（ＧＳＭ）ＲＡＴと、ユニバーサルモバイルテレコミュニケーションシステム（ＵＭＴＳ）ＲＡＴとのうちの少なくとも１つを備える、Ｃ１に記載の方法。
［Ｃ７］
第１および第２の無線アクセス技術（ＲＡＴ）ネットワークを介して通信することが可能なユーザ機器（ＵＥ）におけるワイヤレス通信のための装置であって、
前記第１のＲＡＴネットワークの基地局との動作を中断するための手段と、
前記ＵＥをターゲッティングするページングメッセージを監視するために前記第２のＲＡＴネットワークに同調するための手段と、
動作を中断してから経過した時間が第１のしきい値を下回る場合、システム取得を実行することなしに前記第１のＲＡＴネットワークの前記基地局との動作を再開するための手段と、
システム取得を実行することなしに動作が再開されるとき１つまたは複数の機能の実行の速度を上げるために１つまたは複数のアクションをとるための手段と
を備える、装置。
［Ｃ８］
１つまたは複数のアクションをとるための手段が、
動作を中断してから経過した前記時間中に最初にスケジュールされたシステム情報を搬送する送信のし損なった復号を検出するための手段と、
前記検出に応答して最初にスケジュールされたよりも前のシステム情報を搬送する送信を復号するための手段と
を備える、Ｃ７に記載の装置。
［Ｃ９］
１つまたは複数のアクションをとるための手段が、
動作を再開するとき、動作を中断してから経過した前記時間が第２のしきい値よりも大きい場合、測定報告のためのイベントトリガリングの速度を上げるための手段
を備える、Ｃ７に記載の装置。
［Ｃ１０］
動作を中断してから経過した前記時間が前記第１のしきい値よりも大きい場合、前記第１のＲＡＴの基地局を用いてシステム取得を実行するための手段
をさらに備える、Ｃ７に記載の装置。
［Ｃ１１］
前記第１のＲＡＴがロングタームエボリューション（ＬＴＥ）を備える、Ｃ７に記載の装置。
［Ｃ１２］
前記第２のＲＡＴが、符号分割多元接続（ＣＤＭＡ）１ｘＲＡＴと、Ｇｌｏｂａｌ  Ｓｙｓｔｅｍ  ｆｏｒ  Ｍｏｂｉｌｅ（ＧＳＭ）ＲＡＴと、ユニバーサルモバイルテレコミュニケーションシステム（ＵＭＴＳ）ＲＡＴとのうちの少なくとも１つを備える、Ｃ７に記載の装置。
［Ｃ１３］
第１および第２の無線アクセス技術（ＲＡＴ）ネットワークを介して通信することが可能なユーザ機器（ＵＥ）におけるワイヤレス通信のための装置であって、方法が、
前記第１のＲＡＴネットワークの基地局との動作を中断することと、前記ＵＥをターゲッティングするページングメッセージを監視するために前記第２のＲＡＴネットワークに同調することと、動作を中断してから経過した時間が第１のしきい値を下回る場合、システム取得を実行することなしに前記第１のＲＡＴネットワークの前記基地局との動作を再開することと、システム取得を実行することなしに動作が再開されるとき１つまたは複数の機能の実行の速度を上げるために１つまたは複数のアクションをとることとを行うように構成された少なくとも１つのプロセッサと、
前記少なくとも１つのプロセッサに結合されたメモリと
を備える、装置。
［Ｃ１４］
前記プロセッサが、
動作を中断してから経過した前記時間中に最初にスケジュールされたシステム情報を搬送する送信のし損なった復号を検出することと、
前記検出に応答して最初にスケジュールされたよりも前のシステム情報を搬送する送信を復号することと
を行うように構成された、Ｃ７に記載の装置。
［Ｃ１５］
前記プロセッサが、
動作を再開するとき、動作を中断してから経過した前記時間が第２のしきい値よりも大きい場合、測定報告のためのイベントトリガリングの速度を上げること
を行うように構成された、Ｃ７に記載の装置。
［Ｃ１６］
前記プロセッサが、
動作を中断してから経過した前記時間が前記第１のしきい値よりも大きい場合、前記第１のＲＡＴの基地局を用いてシステム取得を実行すること
を行うように構成された、Ｃ７に記載の装置。
［Ｃ１７］
前記第１のＲＡＴがロングタームエボリューション（ＬＴＥ）を備える、Ｃ７に記載の装置。
［Ｃ１８］
前記第２のＲＡＴが、符号分割多元接続（ＣＤＭＡ）１ｘＲＡＴと、Ｇｌｏｂａｌ  Ｓｙｓｔｅｍ  ｆｏｒ  Ｍｏｂｉｌｅ（ＧＳＭ）ＲＡＴと、ユニバーサルモバイルテレコミュニケーションシステム（ＵＭＴＳ）ＲＡＴとのうちの少なくとも１つを備える、Ｃ７に記載の装置。
［Ｃ１９］
第１および第２の無線アクセス技術（ＲＡＴ）ネットワークを介して通信することが可能なユーザ機器（ＵＥ）におけるワイヤレス通信のためのコンピュータプログラム製品であって、
前記第１のＲＡＴネットワークの基地局との動作を中断することと、
前記ＵＥをターゲッティングするページングメッセージを監視するために前記第２のＲＡＴネットワークに同調することと、
動作を中断してから経過した時間が第１のしきい値を下回る場合、システム取得を実行することなしに前記第１のＲＡＴネットワークの前記基地局との動作を再開することと、
システム取得を実行することなしに動作が再開されるとき１つまたは複数の機能の実行の速度を上げるために１つまたは複数のアクションをとることと
を行うために１つまたは複数のプロセッサによって実行可能な命令を記憶したコンピュータ可読媒体を備える、コンピュータプログラム製品。
［Ｃ２０］
１つまたは複数のアクションをとることが、
動作を中断してから経過した前記時間中に最初にスケジュールされたシステム情報を搬送する送信のし損なった復号を検出することと、
前記検出に応答して最初にスケジュールされたよりも前のシステム情報を搬送する送信を復号することと
を備える、Ｃ１９に記載のコンピュータプログラム製品。
［Ｃ２１］
１つまたは複数のアクションをとることが、
動作を再開するとき、動作を中断してから経過した前記時間が第２のしきい値よりも大きい場合、測定報告のためのイベントトリガリングの速度を上げること
を備える、Ｃ１９に記載のコンピュータプログラム製品。
［Ｃ２２］
前記命令が、
動作を中断してから経過した前記時間が前記第１のしきい値よりも大きい場合、前記第１のＲＡＴの基地局を用いてシステム取得を実行すること
を行うようにさらに実行可能である、Ｃ１９に記載のコンピュータプログラム製品。
［Ｃ２３］
前記第１のＲＡＴがロングタームエボリューション（ＬＴＥ）を備える、Ｃ１９に記載のコンピュータプログラム製品。
［Ｃ２４］
前記第２のＲＡＴが、符号分割多元接続（ＣＤＭＡ）１ｘＲＡＴと、Ｇｌｏｂａｌ  Ｓｙｓｔｅｍ  ｆｏｒ  Ｍｏｂｉｌｅ（ＧＳＭ）ＲＡＴと、ユニバーサルモバイルテレコミュニケーションシステム（ＵＭＴＳ）ＲＡＴとのうちの少なくとも１つを備える、Ｃ１９に記載のコンピュータプログラム製品。